(57)【要約】      （修正有）【課題】抗菌・抗ウィルス加工が施された鞄を提供する。【解決手段】鞄がキャリーケース１であり、該キャリーケースのシェル２、４、フレーム部分、布部分、キャリーバー・ハンドル１００、キャスタ１２、及び手提げハンドル１６のうちの１つ又は複数のものが、合成樹脂と、合成樹脂中に分散された抗菌剤の微粒子と、の組合せからなる。合成樹脂はＡＢＳ樹脂又はポリカーボネートであり、抗菌剤の微粒子はナノシルバーである。【選択図】図１
0003229970.tif 000002
【実用新案登録請求の範囲】
【請求項１】
鞄類の一部又は全部の構成要素が、抗菌剤の配合された合成樹脂からつくられていることを特徴とする、抗菌・抗ウィルス加工が施された鞄類。
【請求項２】
上記合成樹脂はＡＢＳ樹脂又はポリカーボネートであることを特徴とする、請求項１に記載の抗菌・抗ウィルス加工が施された鞄類。
【請求項３】
上記抗菌剤はナノシルバーであることを特徴とする、請求項１又は請求項２に記載の抗菌・抗ウィルス加工が施された鞄類。
【請求項４】
該鞄類がキャリーケースであり、該キャリーケースのシェル、フレーム部分、布部分、キャリーバー・ハンドル、キャスタ、及び手提げハンドルのうちから選択された１つ又は複数の部分が、抗菌剤の配合された合成樹脂からつくられていることを特徴とする、請求項１〜３のいずれかに記載の抗菌・抗ウィルス加工が施された鞄類。
【請求項５】
鞄類の表面の一部又は全部の構成要素に、酸化チタンのコーティングが施されていることを特徴とする、抗菌・抗ウィルス加工が施された鞄類。
【考案の詳細な説明】
【技術分野】
【０００１】
本考案は、鞄類に関し、詳しくは、抗菌・抗ウィルス加工が施された鞄類に関する。
【背景技術】
【０００２】
プラスチック廃棄物を削減することを目的として令和２年７月１日から施行されたレジ袋の有料化に伴い、プラスチックのレジ袋の代わりに、いわゆるエコバッグ、リュックサック又はポシェットなどの鞄類を使って、店で買い物をする人が増えている。
【０００３】
その一方で、長期の旅行や仕事で出張に出かける際には、収納スペースの大きいキャリーケースやスーツケース等の鞄類が用いられる。
【先行技術文献】
【特許文献】
【０００４】
【特許文献１】実用新案登録第２５４４９９３号公報
【考案の概要】
【考案が解決しようとする課題】
【０００５】
しかし、店から肉や野菜などの生鮮食品等を持ち帰るために繰り返し使用されているエコバッグのうち、約６０％のエコバッグに雑菌等が付着しているとの調査結果もある。雑菌等の付着したエコバッグ等を洗濯することなく使用し続けていると、生鮮食品を家まで持ち帰った後に食中毒を起こしてしまう恐れもある。このように、レジ袋の有料化が施行されたことで、新たな課題が生じている。
【０００６】
また、キャリーケース等の大きな鞄類については、公共の場に持ち出されたときに多くの人や様々な構造物と接触する機会が増えるが、雑菌やウィルスに対して無防備な状態となっている。そのため、抗菌・抗ウィルス加工の施された鞄類が求められている。
【課題を解決するための手段】
【０００７】
一実施例においては、鞄類の一部又は全部の構成要素が、抗菌剤の配合された合成樹脂からつくられていることを特徴とする、抗菌・抗ウィルス加工が施された鞄類を提示する。
【０００８】
さらには、合成樹脂はＡＢＳ樹脂又はポリカーボネートであることを特徴とする。
【０００９】
さらには、抗菌剤はナノシルバー（銀ナノ粒子）であることを特徴とする。
【００１０】
さらなる実施例においては、鞄類がキャリーケースであり、該キャリーケースのシェル、フレーム部分、布部分、キャリーバー・ハンドル、キャスタ、及び手提げハンドルのうちから選択された１つ又は複数の部分が、抗菌剤の配合された合成樹脂からつくられていることを特徴とする。
【００１１】
他の実施例においては、鞄類の表面の一部又は全部の構成要素に、酸化チタンのコーティングが施されていることを特徴とする抗菌・抗ウィルス加工が施された鞄類を提示する。
【図面の簡単な説明】
【００１２】
【図１】本考案の一実施例における鞄を示す図。
【図２】ナノシルバーによる（ａ）直接除菌と（ｂ）光触媒除菌を示す図。
【図３】ナノシルバーが合成樹脂素材に配合されて部品に成型されるまでを示す図。
【図４】合成樹脂から形成される部品（又は部分）のいくつかの例を示す図。
【図５】酸化チタンのコーティングが施されたキャリーケースを示す図。
【図６】キャリーケースを曳いて移動している使用者を示す図。
【図７】バッグを手に提げて移動している使用者を示す図。
【考案を実施するための形態】
【００１３】
本考案の鞄類について、添付の図面を参照しつつ説明する。
【００１４】
図１は、鞄類の一例としてのハードタイプのキャリーケース１を示している。キャリーケース１は、収納部を構成する蓋側シェル２及び身側シェル４と、これらのシェルを開閉できるように構成されたシェル開閉用ジッパ８と、シェル開閉用ジッパ８のスライダ６と、移動時に使用されるキャリーバー１０及びキャスタ１２と、トップハンドル１４やサイドハンドル１６等の手提げハンドルと、を備える。シェル開閉用ジッパ８のスライダ６は、スライダロック１８などでロック可能に構成されている。
【００１５】
本考案の一実施例においては、キャリーケース１の蓋側シェル２、身側シェル４、キャリーバー・ハンドル１００を有するキャリーバー（伸縮ロッド１０２を含む）１０、キャスタ１２、及びトップハンドル１４やサイドハンドル１６等の手提げハンドルのうちから選択された１つ又は複数の部品（又は部分）が、銀系抗菌剤の配合された合成樹脂から形成されている。その銀系抗菌剤として、特にはナノシルバー（銀がナノメートル（ｎｍ）サイズにまで粉砕されてできたもの）が適している。或いは、抗菌剤として、同様に細かく粉砕されたナノダイヤモンドが使用される場合もある。
【００１６】
図２（ａ）は、ナノシルバーの直接的な除菌効果を説明する図である。鞄の表面に細菌等の微生物が接触すると、ナノシルバーが細菌等の増殖を抑制するように働く。また、図２（ｂ）は、ナノシルバーの光触媒除菌効果を説明する図である。図２（ｂ）に示されるように、鞄の表面に太陽光（又はＬＥＤの光など）が照射されると、光エネルギー（ｈν）を受けたナノシルバーの銀（Ａｇ）原子の電子が励起されて、空気中の酸素（Ｏ２）及び水蒸気（Ｈ２Ｏ）と反応し、鞄の表面にヒドロキシラジカル（・ＯＨ−）とスーパーオキサイドイオン（・Ｏ２−）の２種類の活性酸素が生成される。これらの活性酸素の反応性は非常に高く、強い消毒・抗菌能力を発揮する。
【００１７】
図３は、合成樹脂にナノシルバーが配合されて部品（又は部分）に成型されるまでの過程を示す図である。部品（又は部分）をつくる素材となる合成樹脂としては、汎用プラスチック（例えば、ＡＢＳ樹脂）や、エンジニアリングプラスチック（例えば、ポリカーボネート）がある。ナノシルバーは、取扱い易くするためにペレット状に加工されており、このペレット状のナノシルバーが合成樹脂素材に配合される。ナノシルバーの配合された合成樹脂が成型されることにより、鞄類の様々な部品（又は部分）がつくられる。
【００１８】
図４は、合成樹脂からつくられる部品（又は部分）のいくつかの例を示している。例えば、ハードタイプのキャリーケースについては、蓋側シェル２、身側シェル４、フレーム部分２０、キャリーバー・ハンドル１００、キャスタ１２、トップハンドル１４やサイドハンドル１６等の手提げハンドル、及びスライダロック１８などがある。また、ソフトタイプのキャリーケースについては、表面の布部分、ヒンジ部２２、及び底足（グライド）２４などがある。
【００１９】
これら以外にも、合成樹脂から紡糸してつくられた合成繊維の織布からなる部品（鞄の内装材やジッパー・エレメントなど）や、繊維強化プラスチック（ＦＲＰ）の部品があり得る。
【００２０】
本考案の他の実施例においては、鞄の表面（金属部分及び布部分）の一部又は全部の構成要素に、酸化チタンのコーティングが施されている。酸化チタンが光触媒として使用される場合に、抗菌・抗ウィルス効果が期待される。一例として、太陽光に含まれる紫外線が酸化チタンに照射されると活性酸素が発生し、この活性酸素が抗菌・抗ウィルス効果を奏することが期待される。
【００２１】
図５（ａ）は、酸化チタンの光触媒作用を説明する図である。キャリーケース２６のシェル２７の表面に、酸化チタン（ＴｉＯ２）のコーティングが施されている。図５（ｂ）に示されるように、シェル２７の表面のＴｉＯ２コーティングに太陽光（又はＬＥＤの光など）が照射されると、光エネルギー（ｈν）を受けた酸化チタンの電子が励起されて、空気中の酸素（Ｏ２）及び水蒸気（Ｈ２Ｏ）とそれぞれ反応し、ヒドロキシラジカル（・ＯＨ−）とスーパーオキサイドイオン（・Ｏ２−）の２種類の活性酸素が生成される。これらの活性酸素の反応性は非常に高く、強い消毒・抗菌能力を発揮する。
【００２２】
図６は、本考案の鞄類の一例としてのキャリーケース１を曳いて移動している使用者３４を示している。このキャリーケース１のシェルの表面などの部分に抗菌加工が施されている。
【００２３】
図７は、本考案の鞄類の他の例としての手提げバッグ（又は、エコバッグ）３０を手に提げて移動している使用者３４を示している。この手提げバッグ３０の持ち手部分を含む１つ又は複数の箇所に抗菌加工が施されている。さらに、手提げバッグ３０の内側部分に抗菌加工が施されている場合もある。
【００２４】
以上のように、本考案の鞄類は、その一部又は全部の構成要素に抗菌・抗ウィルス加工が施されていることにより、該鞄類に細菌などが付着した場合にもその増殖を抑えることができるものである。
【００２５】
また、鞄の部品（又は部分）にナノシルバーの微粒子が配合されている場合には、その部品内にナノシルバーの微粒子が拡散しているので、鞄の表面が使用により擦り減ったときにも新たなナノシルバーの微粒子が表面に出現することにより、抗菌・抗ウィルス効果が長期間にわたって持続するという利点がある。
【符号の説明】
【００２６】
１…キャリーケース
２…蓋側シェル
４…身側シェル
６…スライダ
８…シェル開閉用ジッパ
１０…キャリーバー
１００…キャリーバー・ハンドル
１０２…伸縮ロッド
１２…キャスタ
１４…トップハンドル
１６…サイドハンドル
１８…スライダロック
２０…（ハードタイプのキャリーケースの）フレーム部分
２２…ヒンジ部
２４…底足
２６…キャリーケース
２７…（キャリーケースの）シェル
３０…手提げバッグ（又は、エコバッグ）
３４…使用者
【図１】
0003229970.tif 000003
【図２】
0003229970.tif 000004
【図３】
0003229970.tif 000005
【図４】
0003229970.tif 000006
【図５】
0003229970.tif 000007
【図６】
0003229970.tif 000008
【図７】
0003229970.tif 000009
【手続補正書】
【提出日】令和2年8月31日(2020.8.31)
【手続補正１】
【補正対象書類名】実用新案登録請求の範囲
【補正対象項目名】全文
【補正方法】変更
【補正の内容】
【実用新案登録請求の範囲】
【請求項１】
鞄において、
該鞄を構成している少なくとも１つの部品が、
合成樹脂と、
上記合成樹脂中に分散された抗菌剤の微粒子と、
の組合せからなることを特徴とする、抗菌・抗ウィルス加工が施された鞄。
【請求項２】
鞄において、
該鞄がキャリーケースであり、
該キャリーケースのシェル、フレーム部分、布部分、キャリーバー・ハンドル、キャスタ、及び手提げハンドルのうちの１つ又は複数のものが、
合成樹脂と、
上記合成樹脂中に分散された抗菌剤の微粒子と、
の組合せからなることを特徴とする、抗菌・抗ウィルス加工が施された鞄。
【請求項３】
上記合成樹脂はＡＢＳ樹脂又はポリカーボネートであることを特徴とする、請求項１又は請求項２に記載の抗菌・抗ウィルス加工が施された鞄。
【請求項４】
上記抗菌剤の微粒子はナノシルバーであることを特徴とする、請求項１又は請求項２に記載の抗菌・抗ウィルス加工が施された鞄。
【請求項５】
鞄において、
該鞄がキャリーケースであり、
該キャリーケースのシェルと、
上記シェルの外側に設けられた酸化チタンの層と、
を備える、抗菌・抗ウィルス加工が施された鞄。
【手続補正３】
【補正対象書類名】明細書
【補正対象項目名】０００１
【補正方法】変更
【補正の内容】
【０００１】
本考案は、鞄に関し、詳しくは、抗菌・抗ウィルス加工が施された鞄に関する。
【手続補正４】
【補正対象書類名】明細書
【補正対象項目名】０００２
【補正方法】変更
【補正の内容】
【０００２】
プラスチック廃棄物を削減することを目的として令和２年７月１日から施行されたレジ袋の有料化に伴い、プラスチックのレジ袋の代わりに、いわゆるエコバッグ、リュックサック又はポシェットなどの鞄を使って、店で買い物をする人が増えている。
【手続補正５】
【補正対象書類名】明細書
【補正対象項目名】０００３
【補正方法】変更
【補正の内容】
【０００３】
その一方で、長期の旅行や仕事で出張に出かける際には、収納スペースの大きいキャリーケースやスーツケース等の鞄が用いられる。
【手続補正６】
【補正対象書類名】明細書
【補正対象項目名】０００４
【補正方法】変更
【補正の内容】
【０００４】
【特許文献１】実用新案登録第２５４４９９３号公報
【特許文献２】実用新案登録第３０１８０６３号公報
【手続補正７】
【補正対象書類名】明細書
【補正対象項目名】０００６
【補正方法】変更
【補正の内容】
【０００６】
また、キャリーケース等の大きな鞄については、公共の場に持ち出されたときに多くの人や様々な構造物と接触する機会が増えるが、雑菌やウィルスに対して無防備な状態となっている。そのため、抗菌・抗ウィルス加工の施された鞄が求められている。
【手続補正８】
【補正対象書類名】明細書
【補正対象項目名】０００７
【補正方法】変更
【補正の内容】
【０００７】
一実施例においては、鞄において、該鞄を構成している少なくとも１つの部品が、合成樹脂と、合成樹脂中に分散された抗菌剤の微粒子と、の組合せからなることを特徴とする、抗菌・抗ウィルス加工が施された鞄を提供する。
【手続補正９】
【補正対象書類名】明細書
【補正対象項目名】０００８
【補正方法】変更
【補正の内容】
【０００８】
さらなる実施例においては、鞄がキャリーケースであり、該キャリーケースのシェル、フレーム部分、布部分、キャリーバー・ハンドル、キャスタ、及び手提げハンドルのうちの１つ又は複数のものが、合成樹脂と、上記合成樹脂中に分散された抗菌剤の微粒子と、の組合せからなることを特徴とする、抗菌・抗ウィルス加工が施された鞄を提供する。
【手続補正１０】
【補正対象書類名】明細書
【補正対象項目名】０００９
【補正方法】変更
【補正の内容】
【０００９】
さらには、合成樹脂はＡＢＳ樹脂又はポリカーボネートであることを特徴とする。
【手続補正１１】
【補正対象書類名】明細書
【補正対象項目名】００１０
【補正方法】変更
【補正の内容】
【００１０】
さらには、抗菌剤はナノシルバー（銀ナノ粒子）であることを特徴とする。
【手続補正１２】
【補正対象書類名】明細書
【補正対象項目名】００１１
【補正方法】変更
【補正の内容】
【００１１】
他の実施例においては、鞄において、該鞄がキャリーケースであり、該キャリーケースのシェルと、シェルの外側に設けられた酸化チタンの層と、を備える、抗菌・抗ウィルス加工が施された鞄を提供する。
【手続補正１３】
【補正対象書類名】明細書
【補正対象項目名】００１３
【補正方法】変更
【補正の内容】
【００１３】
本考案の鞄について、添付の図面を参照しつつ説明する。
【手続補正１４】
【補正対象書類名】明細書
【補正対象項目名】００１４
【補正方法】変更
【補正の内容】
【００１４】
図１は、鞄の一例としてのハードタイプのキャリーケース１を示している。キャリーケース１は、収納部を構成する蓋側シェル２及び身側シェル４と、これらのシェルを開閉できるように構成されたシェル開閉用ジッパ８と、シェル開閉用ジッパ８のスライダ６と、移動時に使用されるキャリーバー１０及びキャスタ１２と、トップハンドル１４やサイドハンドル１６等の手提げハンドルと、を備える。シェル開閉用ジッパ８のスライダ６は、スライダロック１８などでロック可能に構成されている。
【手続補正１５】
【補正対象書類名】明細書
【補正対象項目名】００１７
【補正方法】変更
【補正の内容】
【００１７】
図３は、合成樹脂にナノシルバーが配合されて部品（又は部分）に成型されるまでの過程を示す図である。部品（又は部分）をつくる素材となる合成樹脂としては、汎用プラスチック（例えば、ＡＢＳ樹脂）や、エンジニアリングプラスチック（例えば、ポリカーボネート）がある。ナノシルバーは、取扱い易くするためにペレット状に加工されており、このペレット状のナノシルバーが合成樹脂素材に配合される。ナノシルバーの配合された合成樹脂が成型されることにより、鞄の様々な部品（又は部分）がつくられる。
【手続補正１６】
【補正対象書類名】明細書
【補正対象項目名】００２２
【補正方法】変更
【補正の内容】
【００２２】
図６は、本考案の鞄の一例としてのキャリーケース１を曳いて移動している使用者３４を示している。このキャリーケース１のシェルの表面などの部分に抗菌加工が施されている。
【手続補正１７】
【補正対象書類名】明細書
【補正対象項目名】００２３
【補正方法】変更
【補正の内容】
【００２３】
図７は、本考案の鞄の他の例としての手提げバッグ（又は、エコバッグ）３０を手に提げて移動している使用者３４を示している。この手提げバッグ３０の持ち手部分を含む１つ又は複数の箇所に抗菌加工が施されている。さらに、手提げバッグ３０の内側部分に抗菌加工が施されている場合もある。
【手続補正１８】
【補正対象書類名】明細書
【補正対象項目名】００２４
【補正方法】変更
【補正の内容】
【００２４】
以上のように、本考案の鞄は、その一部又は全部の構成要素に抗菌・抗ウィルス加工が施されていることにより、該鞄に細菌などが付着した場合にもその増殖を抑えることができるものである。
【手続補正書】
【提出日】令和2年10月13日(2020.10.13)
【手続補正１】
【補正対象書類名】実用新案登録請求の範囲
【補正対象項目名】全文
【補正方法】変更
【補正の内容】
【実用新案登録請求の範囲】
【請求項１】
鞄において、
該鞄の少なくとも持ち手部分が、
合成樹脂と、
上記合成樹脂中に分散された抗菌剤の微粒子と、
の組合せからなることを特徴とする、抗菌・抗ウィルス加工が施された鞄。
【請求項２】
鞄において、
該鞄がキャリーケースであり、
該キャリーケースのシェル、フレーム部分、布部分、キャリーバー・ハンドル、キャスタ、及び手提げハンドルのうちの１つ又は複数のものが、
合成樹脂と、
上記合成樹脂中に分散された抗菌剤の微粒子と、
の組合せからなることを特徴とする、抗菌・抗ウィルス加工が施された鞄。
【請求項３】
上記合成樹脂はＡＢＳ樹脂又はポリカーボネートであることを特徴とする、請求項１又は請求項２に記載の抗菌・抗ウィルス加工が施された鞄。
【請求項４】
上記抗菌剤の微粒子はナノシルバーであることを特徴とする、請求項１又は請求項２に記載の抗菌・抗ウィルス加工が施された鞄。
【請求項５】
鞄において、
該鞄がキャリーケースであり、
該キャリーケースのシェルと、
上記シェルの外側に設けられた酸化チタンの層と、
を備える、抗菌・抗ウィルス加工が施された鞄。